(57)【要約】【課題】無線通信システムにおける端末により実行される物理ダウンリンク制御チャネル(ｐｈｙｓｉｃａｌ  ｄｏｗｎｌｉｎｋ  ｃｏｎｔｒｏｌ  ｃｈａｎｎｅｌ；ＰＤＣＣＨ)モニタリング方法及び装置を提供する。【解決手段】前記方法は、基地局からＰＤＣＣＨマップ(ｍａｐ)を受信する段階；及び、前記ＰＤＣＣＨマップに基づいてＰＤＣＣＨ候補の集合をモニタリングする段階；を含む。前記ＰＤＣＣＨマップは、モニタリング集合フィールドを含み、前記モニタリング集合フィールドは、Ｌ個のダウンリンクコンポーネント搬送波の中からＮ個のダウンリンクコンポーネント搬送波を指示し(ここで、Ｌ≧Ｎであり、Ｌ及びＮは、各々、自然数)、端末は、前記Ｎ個のダウンリンクコンポーネント搬送波の各々で前記ＰＤＣＣＨ候補の集合をモニタリングする。【選択図】図１８
2011529662.tif 000002
【特許請求の範囲】
【請求項１】
無線通信システムにおける端末により実行される物理ダウンリンク制御チャネル(ｐｈｙｓｉｃａｌ  ｄｏｗｎｌｉｎｋ  ｃｏｎｔｒｏｌ  ｃｈａｎｎｅｌ；ＰＤＣＣＨ)モニタリング方法において、
基地局からＰＤＣＣＨマップ(ｍａｐ)を受信する段階；及び、
前記ＰＤＣＣＨマップに基づいてＰＤＣＣＨ候補の集合をモニタリングする段階；を含むことを特徴とする方法。
【請求項２】
前記ＰＤＣＣＨマップは、モニタリング集合フィールドを含み、前記モニタリング集合フィールドは、Ｌ個のダウンリンクコンポーネント搬送波の中からＮ個のダウンリンクコンポーネント搬送波を指示し(ここで、Ｌ≧Ｎであり、Ｌ及びＮは、各々、自然数)、端末は、前記Ｎ個のダウンリンクコンポーネント搬送波の各々で前記ＰＤＣＣＨ候補の集合をモニタリングすることを特徴とする請求項１に記載の方法。
【請求項３】
前記ＰＤＣＣＨマップは、ＰＤＣＣＨ上に受信されることを特徴とする請求項１に記載の方法。
【請求項４】
前記ＰＤＣＣＨマップは、複数のダウンリンクコンポーネント搬送波の中から一定のダウンリンクコンポーネント搬送波を介して受信されることを特徴とする請求項１に記載の方法。
【請求項５】
前記ＰＤＣＣＨマップは、ダウンリンクコンポーネント搬送波を介して受信され、前記ダウンリンクコンポーネント搬送波は、複数のダウンリンクコンポーネント搬送波の中からホッピング(ｈｏｐｐｉｎｇ)規則によってホッピングされることを特徴とする請求項１に記載の方法。
【請求項６】
前記ＰＤＣＣＨマップは、ＲＲＣ(ｒａｄｉｏ  ｒｅｓｏｕｒｃｅ  ｃｏｎｔｒｏｌ)信号を介して受信されることを特徴とする請求項１に記載の方法。
【請求項７】
前記ＰＤＣＣＨマップは、制御チャネル要素(ｃｏｎｔｒｏｌ  ｃｈａｎｎｅｌ  ｅｌｅｍｅｎｔ；ＣＣＥ)フィールドを含み、前記制御チャネル要素は、Ｘ個のＣＣＥ集団レベルの中でＹ個のＣＣＥ集団レベルを指示し(ここで、Ｘ≧Ｙであり、Ｘ及びＹは、各々、自然数)、端末は、前記Ｙ個のＣＣＥ集団レベルの各々で前記ＰＤＣＣＨ候補の集合をモニタリングすることを特徴とする請求項１に記載の方法。
【請求項８】
前記ＰＤＣＣＨマップは、モニタリング集合フィールド及び制御チャネル要素(ＣＣＥ)フィールドを含むことを特徴とする請求項１に記載の方法。
【請求項９】
無線信号を送信及び/または受信するＲＦ(ｒａｄｉｏ  ｆｒｅｑｕｅｎｃｙ)部；及び、
前記ＲＦ部と結合するプロセッサ；を含み、
前記プロセッサは、ＰＤＣＣＨマップを受信し、前記ＰＤＣＣＨマップに基づいてＰＤＣＣＨ候補の集合をモニタリングすることを特徴とする端末。
【請求項１０】
無線通信システムにおける基地局により実行されるＰＤＣＣＨ送信方法において、
端末にＰＤＣＣＨマップを送信する段階；及び、
前記ＰＤＣＣＨマップによって前記端末にＰＤＣＣＨを送信する段階；を含むことを特徴とする方法。
【発明の詳細な説明】
【技術分野】
【０００１】
本発明は、無線通信に関し、より詳しくは、無線通信システムにおけるＰＤＣＣＨ(ｐｈｙｓｉｃａｌ  ｄｏｗｎｌｉｎｋ  ｃｏｎｔｒｏｌ  ｃｈａｎｎｅｌ)モニタリング方法及び装置に関する。
【背景技術】
【０００２】
無線通信システムにおいて、一般的に、一つの基地局は、複数の端末にサービスを提供する。基地局は、複数の端末に対するユーザデータをスケジューリングし、前記ユーザデータに対するスケジューリング情報を含めた制御情報(ｃｏｎｔｒｏｌ  ｉｎｆｏｒｍａｔｉｏｎ)をユーザデータと共に送信する。一般的に、前記制御情報を運ぶチャネルを制御チャネルといい、ユーザデータを運ぶチャネルをデータチャネルという。端末は、制御チャネルをモニタリングして制御情報を探し、前記制御情報を用いてデータを処理する。
【０００３】
端末が自体に割り当てられたユーザデータを受信するためには制御チャネル上のユーザデータに対する制御情報を必ず受信しなければならない。しかし、与えられた帯域幅で、複数端末の制御情報は、一つの送信間隔(ｔｒａｎｓｍｉｓｓｉｏｎ  ｉｎｔｅｒｖａｌ)内で多重化(ｍｕｌｔｉｐｌｅｘｉｎｇ)されることが一般的である。即ち、基地局は、複数の端末にサービスを提供するために、複数の端末に対する制御情報を多重化し、複数の制御チャネルを介して送信する。端末は、複数の制御チャネルのうち自体の制御チャネルを探す。
【０００４】
多重化された制御情報の中から特定制御情報を検出する技法のうち一つがブラインド検出(ｂｌｉｎｄ  ｄｅｔｅｃｔｉｏｎ)である。ブラインド検出は、端末が制御チャネルの復旧に必要な情報のない状態で多様な組合せの情報を用いて制御チャネルを復旧するための試しをすることである。即ち、端末は、基地局から送信された制御情報が自体の制御情報かどうか知らず、自体の制御情報がどの部分に位置するか知らない状態で自体の制御情報を探す時まで端末が与えられた全ての制御情報をデコーディングする。端末が自体の制御情報かどうかを判別するためには端末の固有情報を用いることができる。例えば、基地局が各端末の制御情報を多重化させる時、各端末の固有識別子をＣＲＣ(ｃｙｃｌｉｃ  ｒｅｄｕｎｄａｎｃｙ  ｃｈｅｃｋ)にマスキングさせて送信することができる。ＣＲＣは、エラー検出に使われる符号(ｃｏｄｅ)である。端末は、受信した制御情報のＣＲＣに自体の固有識別子をデマスキングした後、ＣＲＣチェックをして自体の制御情報かどうかを判断することができる。
【０００５】
一方、ＩＴＵ(Ｉｎｔｅｒｎａｔｉｏｎａｌ  Ｔｅｌｅｃｏｍｍｕｎｉｃａｔｉｏｎ  Ｕｎｉｏｎ)では３世帯以後の次世代移動通信システムにダウンリンク１Ｇｂｐｓ(Ｇｉｇａｂｉｔｓ  ｐｅｒ  ｓｅｃｏｎｄ)及びアップリンク５００Ｍｂｐｓ(Ｍｅｇａｂｉｔｓ  ｐｅｒ  ｓｅｃｏｎｄ)である高速の送信率(ｔｒａｎｓｍｉｓｓｉｏｎ  ｒａｔｅ)を提供してＩＰ(ｉｎｔｅｒｎｅｔ  ｐｒｏｔｏｃｏｌ)基盤のマルチメディアシームレス(ｓｅａｍｌｅｓｓ)サービスをサポートすることを目標とするＩＭＴ-Ａ(Ｉｎｔｅｒｎａｔｉｏｎａｌ  Ｍｏｂｉｌｅ  Ｔｅｌｅｃｏｍｍｕｎｉｃａｔｉｏｎ-Ａｄｖａｎｃｅｄ)システムの標準化を進行している。３ＧＰＰ(３ｒｄ  Ｇｅｎｅｒａｔｉｏｎ  Ｐａｒｔｎｅｒｓｈｉｐ  Ｐｒｏｊｅｃｔ)ではＩＭＴ-Ａシステムのための候補技術として３ＧＰＰ  ＬＴＥ-Ａ(Ｌｏｎｇ  Ｔｅｒｍ  Ｅｖｏｌｕｔｉｏｎ-Ａｄｖａｎｃｅｄ)システムを考慮している。ＬＴＥ-Ａシステムは、ＬＴＥシステムの完成度を高める方向に進行され、ＬＴＥシステムと下位互換性(ｂａｃｋｗａｒｄ  ｃｏｍｐａｔｉｂｉｌｉｔｙ)を維持することと予想されている。ＬＴＥ-ＡシステムとＬＴＥシステムとの互換性を有するのが、ユーザの立場で便利であり、事業者の立場でも既存装備のリサイクルを図ることができるためである。
【０００６】
一般的に、無線通信システムは、一つの搬送波をサポートする単一搬送波(ｓｉｎｇｌｅ  ｃａｒｒｉｅｒ)システムである。送信率は、送信帯域幅(ｔｒａｎｓｍｉｓｓｉｏｎ  ｂａｎｄｗｉｄｔｈ)に比例するため、高速の送信率がサポートされるためには送信帯域幅が増加されなければならない。しかし、全世界的に一部地域を除いては大きい帯域幅の周波数割当が容易でない。断片的な小さい周波数バンドを効率的に使用するために、スペクトラム集約(または、帯域幅集約(ｂａｎｄｗｉｄｔｈ  ａｇｇｒｅｇａｔｉｏｎ)、搬送波集約(ｃａｒｒｉｅｒ  ａｇｇｒｅｇａｔｉｏｎ)とも呼ぶ)技術が開発されている。スペクトラム集約技術は、周波数領域で物理的に非連続的な複数個の周波数バンドを集約して論理的に大きい帯域の周波数バンドを使用することのような効果を得る技術である。スペクトラム集約技術を介して無線通信システムで多重搬送波がサポートされることができる。多重搬送波がサポートされる無線通信システムを多重搬送波(ｍｕｌｔｉｐｌｅ  ｃａｒｒｉｅｒ)システムという。搬送波は、無線周波数(ｒａｄｉｏ  ｆｒｅｑｕｅｎｃｙ；ＲＦ)、コンポーネント搬送波(ｃｏｍｐｏｎｅｎｔ  ｃａｒｒｉｅｒ；ＣＣ)等、他の用語で呼ばれることができる。
【０００７】
ところが、多重搬送波システムで単一搬送波システムと同一方法により、基地局が制御チャネルを送信し、また、端末が制御チャネルをモニタリングする場合、ブラインドデコーディングの複雑度が著しく増加される。
【０００８】
従って、多重搬送波システムにおける効率的な制御チャネル送信方法、制御チャネルモニタリング方法を提供する必要がある。
【発明の概要】
【発明が解決しようとする課題】
【０００９】
本発明が解決しようとする技術的課題は、無線通信システムにおけるＰＤＣＣＨ(ｐｈｙｓｉｃａｌ  ｄｏｗｎｌｉｎｋ  ｃｏｎｔｒｏｌ  ｃｈａｎｎｅｌ)モニタリング方法及び装置を提供することである。
【課題を解決するための手段】
【００１０】
一側面で、無線通信システムにおける端末により実行される物理ダウンリンク制御チャネル(ｐｈｙｓｉｃａｌ  ｄｏｗｎｌｉｎｋ  ｃｏｎｔｒｏｌ  ｃｈａｎｎｅｌ；ＰＤＣＣＨ)モニタリング方法を提供する。前記方法は、基地局からＰＤＣＣＨマップ(ｍａｐ)を受信する段階；及び、前記ＰＤＣＣＨマップに基づいてＰＤＣＣＨ候補の集合をモニタリングする段階；を含むことを特徴とする。
【００１１】
前記ＰＤＣＣＨマップは、モニタリング集合フィールドを含み、前記モニタリング集合フィールドは、Ｌ個のダウンリンクコンポーネント搬送波の中からＮ個のダウンリンクコンポーネント搬送波を指示し(ここで、Ｌ≧Ｎであり、Ｌ及びＮは、各々、自然数)、端末は、前記Ｎ個のダウンリンクコンポーネント搬送波の各々で前記ＰＤＣＣＨ候補の集合をモニタリングする。
【００１２】
前記ＰＤＣＣＨマップは、ＰＤＣＣＨ上に受信される。
【００１３】
前記ＰＤＣＣＨマップは、複数のダウンリンクコンポーネント搬送波の中から一定のダウンリンクコンポーネント搬送波を介して受信される。
【００１４】
前記ＰＤＣＣＨマップは、ダウンリンクコンポーネント搬送波を介して受信され、前記ダウンリンクコンポーネント搬送波は、複数のダウンリンクコンポーネント搬送波の中からホッピング(ｈｏｐｐｉｎｇ)規則によってホッピングされる。
【００１５】
前記ＰＤＣＣＨマップは、ＲＲＣ(ｒａｄｉｏ  ｒｅｓｏｕｒｃｅ  ｃｏｎｔｒｏｌ)信号を介して受信される。
【００１６】
前記ＰＤＣＣＨマップはＲＲＣ信号を介して受信されることができる。
【００１７】
前記ＰＤＣＣＨマップは、制御チャネル要素(ｃｏｎｔｒｏｌ  ｃｈａｎｎｅｌ  ｅｌｅｍｅｎｔ；ＣＣＥ)フィールドを含み、前記制御チャネル要素は、Ｘ個のＣＣＥ集団レベルの中でＹ個のＣＣＥ集団レベルを指示し(ここで、Ｘ≧Ｙであり、Ｘ及びＹは、各々、自然数)、端末は、前記Ｙ個のＣＣＥ集団レベルの各々で前記ＰＤＣＣＨ候補の集合をモニタリングする。
【００１８】
前記ＰＤＣＣＨマップは、モニタリング集合フィールド及び制御チャネル要素(ＣＣＥ)フィールドを含む。
【００１９】
他の側面で端末が提供される。前記端末は、無線信号を送信及び/または受信するＲＦ(ｒａｄｉｏ  ｆｒｅｑｕｅｎｃｙ)部；及び、前記ＲＦ部と結合するプロセッサを含み、前記プロセッサは、ＰＤＣＣＨマップを受信し、前記ＰＤＣＣＨマップに基づいてＰＤＣＣＨ候補の集合をモニタリングすることを特徴とする。
【００２０】
なお、他の側面で、無線通信システムにおける基地局により実行されるＰＤＣＣＨ送信方法が提供される。前記方法は、端末にＰＤＣＣＨマップを送信する段階；及び、前記ＰＤＣＣＨマップによって前記端末にＰＤＣＣＨを送信する段階；を含むことを特徴とする。
【発明の効果】
【００２１】
効率的なＰＤＣＣＨモニタリング方法及び装置を提供することができる。従って、全体システム性能が向上することができる。
【図面の簡単な説明】
【００２２】
【図１】無線通信システムを示すブロック図である。
【図２】多重搬送波(ｍｕｌｔｉｐｌｅ  ｃａｒｒｉｅｒ)システムで使われる複数のコンポーネント搬送波(ｃｏｍｐｏｎｅｎｔ  ｃａｒｒｉｅｒ；ＣＣ)の例を示す。
【図３】多重搬送波システムの例を示すブロック図である。
【図４】複数の物理チャネルの例を示す。
【図５】物理チャネルの帯域幅の例を示す。
【図６】多重搬送波システムでアップリンク及びダウンリンクの非対称構造の例を示す。
【図７】無線フレーム(ｒａｄｉｏ  ｆｒａｍｅ)の構造を示す。
【図８】一つのダウンリンクスロットに対するリソースグリッド(ｒｅｓｏｕｒｃｅ  ｇｒｉｄ)を示す例示図である。
【図９】ＦＤＤシステムにおける無線フレームとダウンリンクサブフレームの構造を示す。
【図１０】基地局が一つまたは二つの送信アンテナを使用する場合、ＲＥＧ構造の例を示す。
【図１１】基地局が４個の送信アンテナを使用する場合、ＲＥＧ構造の例を示す。
【図１２】ＲＥＧへのＰＣＦＩＣＨのマッピングの例を示す。
【図１３】端末で実行されるデータ送信方法及びデータ受信方法の例を示す流れ図である。
【図１４】ＰＤＣＣＨ構成方法の例を示すフローチャートである。
【図１５】基地局で実行される複数の端末に対する複数のＰＤＣＣＨ多重化方法の例を示す。
【図１６】端末で実行される制御チャネルモニタリング方法の例を示す。
【図１７】多重搬送波システムにおけるＰＤＣＣＨ送信方法の例を示す。
【図１８】本発明の実施例に係る制御チャネル送信方法/制御チャネルモニタリング方法を示す流れ図である。
【図１９】多重搬送波システムにおけるＰＤＣＣＨマップを介してＰＤＣＣＨを送信する一例を示す。
【図２０】多重搬送波システムにおけるＰＤＣＣＨマップを介してＰＤＣＣＨを送信する他の例を示す。
【図２１】半静的にＰＤＣＣＨマップが設定される場合の一例を示す。
【図２２】半静的にＰＤＣＣＨマップが設定される場合の他の例を示す。
【図２３】多重搬送波システムにおける端末で実行される制御チャネルモニタリング方法の例を示す。
【図２４】本発明の実施例が具現される無線通信システムを示すブロック図である。
【発明を実施するための形態】
【００２３】
図１は、無線通信システムを示すブロック図である。
【００２４】
図１を参照すると、無線通信システム１０は、少なくとも一つの基地局(Ｂａｓｅ  Ｓｔａｔｉｏｎ；ＢＳ)１１を含む。各基地局１１は、特定の地理的領域(一般的に、セルという)１５ａ、１５ｂ、１５ｃに対して通信サービスを提供する。また、セルは、複数の領域(セクターという)に分かれることができる。端末(Ｕｓｅｒ  Ｅｑｕｉｐｍｅｎｔ；ＵＥ)１２は、固定されたり、或いは移動性を有することができ、ＭＳ(ｍｏｂｉｌｅ  ｓｔａｔｉｏｎ)、ＵＴ(ｕｓｅｒ  ｔｅｒｍｉｎａｌ)、ＳＳ(ｓｕｂｓｃｒｉｂｅｒ  ｓｔａｔｉｏｎ)、無線機器(ｗｉｒｅｌｅｓｓ  ｄｅｖｉｃｅ)、ＰＤＡ(ｐｅｒｓｏｎａｌ  ｄｉｇｉｔａｌ  ａｓｓｉｓｔａｎｔ)、無線モデム(ｗｉｒｅｌｅｓｓ  ｍｏｄｅｍ)、携帯機器(ｈａｎｄｈｅｌｄ  ｄｅｖｉｃｅ)等、他の用語で呼ばれることができる。基地局１１は、一般的に、端末１２と通信する固定局(ｆｉｘｅｄ  ｓｔａｔｉｏｎ)をいい、ｅＮＢ(ｅｖｏｌｖｅｄ-ＮｏｄｅＢ)、ＢＴＳ(Ｂａｓｅ  Ｔｒａｎｓｃｅｉｖｅｒ  Ｓｙｓｔｅｍ)、アクセスポイント(Ａｃｃｅｓｓ  Ｐｏｉｎｔ)等、他の用語で呼ばれることができる。
【００２５】
以下、ダウンリンク(ｄｏｗｎｌｉｎｋ；ＤＬ)は、基地局から端末への通信を意味し、アップリンク(ｕｐｌｉｎｋ；ＵＬ)は、端末から基地局への通信を意味する。ダウンリンクにおいて、送信機は基地局の一部分であり、受信機は端末の一部分である。アップリンクにおいて、送信機は端末の一部分であり、受信機は基地局の一部分である。
【００２６】
無線通信システムは、多重アンテナをサポートすることができる。送信機は、複数の送信アンテナ(ｔｒａｎｓｍｉｔ  ａｎｔｅｎｎａ)を使用し、受信機は、複数の受信アンテナ(ｒｅｃｅｉｖｅ  ａｎｔｅｎｎａ)を使用することができる。送信アンテナは、一つの信号またはストリーム(ｓｔｒｅａｍ)の送信に使われる物理的または論理的アンテナを意味し、受信アンテナは、一つの信号またはストリームの受信に使われる物理的または論理的アンテナを意味する。
【００２７】
送信機及び受信機が複数のアンテナを使用すると、無線通信システムは、ＭＩＭＯ(ｍｕｌｔｉｐｌｅ  ｉｎｐｕｔ  ｍｕｌｔｉｐｌｅ  ｏｕｔｐｕｔ)システムと呼ばれることができる。
【００２８】
図２は、多重搬送波(ｍｕｌｔｉｐｌｅ  ｃａｒｒｉｅｒ)システムで使われる複数のコンポーネント搬送波(ｃｏｍｐｏｎｅｎｔ  ｃａｒｒｉｅｒ；ＣＣ)の例を示す。
【００２９】
図２を参照すると、多重搬送波システムは、Ｎ個のコンポーネント搬送波ＣＣ＃１,ＣＣ＃２,...,ＣＣ＃Ｎを使用することができる。ここで、隣接する(ａｄｊａｃｅｎｔ)コンポーネント搬送波は、周波数領域で物理的に不連続的(ｄｉｓｃｏｎｔｉｇｕｏｕｓ)なものであると示したが、これは例示に過ぎない。隣接するコンポーネント搬送波は、周波数領域で物理的に連続的(ｃｏｎｔｉｇｕｏｕｓ)であってもよい。
【００３０】
従って、多重搬送波システムは、周波数領域で物理的に不連続的及び/または連続的な複数のコンポーネント搬送波を集約して論理的に大きい帯域幅(ｂａｎｄｗｉｄｔｈ；ＢＷ)の周波数を使用することができる。
【００３１】
ダウンリンクで、基地局は一つまたはその以上のコンポーネント搬送波を介して一つの端末に同時に情報を送信することができる。また、アップリンクで、端末も一つまたはその以上のコンポーネント搬送波を介して基地局に同時に情報を送信することができる。
【００３２】
図３は、多重搬送波システムの例を示すブロック図である。
【００３３】
図３を参照すると、多重搬送波システムで、送信機１００及び受信機２００は、各々、Ｎ個のコンポーネント搬送波ＣＣ＃１,ＣＣ＃２,...,ＣＣ＃Ｎを使用する。一つのコンポーネント搬送波は、一つまたは複数の物理チャネル(ｐｈｙｓｉｃａｌ  ｃｈａｎｎｅｌ；ＰＨＹ)を含む。送信機１００と受信機２００との間には無線チャネル(ｗｉｒｅｌｅｓｓ  ｃｈａｎｎｅｌ)が形成される。
【００３４】
送信機１００は、複数の物理チャネル１１０-１,...,１１０-Ｍ、多重搬送波多重化装置１２０、及び複数の送信アンテナ１９０-１,...,１９０-Ｎｔを含む。受信機２００は、多重搬送波逆多重化装置２１０、複数の物理チャネル２２０-１,...,２２０-Ｌ、及び複数の受信アンテナ２９０-１,...,２９０-Ｎｒを含む。送信機１００の物理チャネルの個数Ｍ及び受信機２００の物理チャネルの個数Ｌは同じであってもよく、異なってもよい。ここで、送信機１００及び受信機２００は、各々、複数のアンテナを含むことと示したが、これは例示に過ぎない。送信機１００及び/または受信機２００は、一つのアンテナを含むこともできる。
【００３５】
送信機１００は、情報からＮ個のコンポーネント搬送波に基づいて送信信号を生成し、送信信号は、Ｍ個の物理チャネル１１０-１,...,１１０-Ｍを介して送信される。多重搬送波多重化装置１２０は、送信信号が同時に送信されることができるように送信信号を併合する。併合された送信信号は、Ｎｔ個の送信アンテナ１９０-１,...,１９０-Ｎｔを介して送信される。送信信号は、無線チャネルを経て受信機２００のＮｒ個の受信アンテナ２９０-１,...,２９０-Ｎｒを介して受信される。受信信号は、多重搬送波逆多重化装置２１０を介してＬ個の物理チャネル２２０-１,...,２２０-Ｌに分離される。各物理チャネル２２０-１,...,２２０-Ｌは、情報を復元する。
【００３６】
多重搬送波システムは、一つまたは複数の搬送波モジュール(ｍｏｄｕｌｅ)を含むことができる。搬送波モジュールは、ベースバンド信号(ｂａｓｅｂａｎｄ  ｓｉｇｎａｌ)を搬送波周波数(ｃａｒｒｉｅｒ  ｆｒｅｑｅｕｎｃｙ)に上方変換(ｕｐｃｏｎｖｅｒｓｉｏｎ)させて無線信号(ｒａｄｉｏ  ｓｉｇｎａｌ)に変換させたり、或いは無線信号を下方変換(ｄｏｗｎｃｏｎｖｅｒｓｉｏｎ)させてベースバンド信号に復元する。搬送波周波数は、中心周波数(ｃｅｎｔｅｒ  ｆｒｅｑｕｅｎｃｙ)とも呼ばれることができる。多重搬送波システムは、搬送波周波数別に複数の搬送波モジュールを使用してもよく、または搬送波周波数を変更可能な一つの搬送波モジュールを使用してもよい。
【００３７】
図４は、複数の物理チャネルの例を示す。図４は、Ｎ個のコンポーネント搬送波がＭ個の物理チャネルＰＨＹ＃１,ＰＨＹ＃２,...,ＰＨＹ＃Ｍで構成された場合の例である。
【００３８】
図４を参照すると、各物理チャネルは、特定帯域幅を有する。ＰＨＹ＃ｍは、中心周波数ｆｃ,ｍ及びＮＩＦＦＴ,ｍ・Δｆｍの帯域幅を有する(ｍ＝１,...,Ｍ)。ＮＩＦＦＴ,ｍは、ＰＨＹ＃ｍのＩＦＦＴ(ｉｎｖｅｒｓｅ  ｆａｓｔ  Ｆｏｕｒｉｅｒ  ｔｒａｎｓｆｏｒｍ)大きさを示し、Δｆｍは、ＰＨＹ＃ｍの副搬送波間隔(ｓｕｂｃａｒｒｉｅｒ  ｓｐａｃｉｎｇ)を示す。ＩＦＦＴ大きさ及び/または副搬送波間隔は、各物理チャネル別に同じであってもよく、異なってもよい。各物理チャネルの中心周波数は、一定間隔または不規則間隔に配置されることができる。
【００３９】
各物理チャネルは、端末またはセルに応じて最大帯域幅より小さい大きさの帯域幅を使用することができる。例えば、各物理チャネルの最大帯域幅が２０ＭＨｚ(ｍｅｇａｈｅｒｔｚ)であり、Ｍが５であると仮定すると、最大１００ＭＨｚの全体帯域幅がサポートされることができる。
【００４０】
図５は、物理チャネルの帯域幅の例を示す。
【００４１】
図５を参照すると、物理チャネルの最大帯域幅が２０ＭＨｚであると仮定すると、物理チャネルは、最大帯域幅より小さい１０ＭＨｚ、５ＭＨｚ、２.５ＭＨｚまたは１.２５ＭＨｚなどの帯域幅を使用することができる。ダウンリンクで物理チャネルがどんな大きさの帯域幅を使用しても、各物理チャネルには同期化チャネル(ｓｙｎｃｈｒｏｎｉｚａｔｉｏｎ  ｃｈａｎｎｅｌ；ＳＣＨ)が存在することができる。同期化チャネルは、セル探索(ｃｅｌｌ  ｓｅａｒｃｈ)のためのチャネルである。セル探索とは、端末がセルと時間同期化及び周波数同期化を獲得し、前記セルのセルＩＤ(ｉｄｅｎｔｉｆｉｅｒ)を検出する過程である。同期化チャネルが全てのダウンリンク物理チャネルに位置する場合、全ての端末がセルと同期化することができる。また、端末が複数のダウンリンク物理チャネルの割当を受ける場合、端末は、各物理チャネル別にセル探索をすることができ、特定物理チャネルを介してのみセル探索をすることもできる。
【００４２】
このように、多重搬送波システムで端末または基地局は一つまたはその以上の物理チャネルを用いて情報を送信及び/または受信することができる。端末が用いる物理チャネルの個数及び基地局が用いる物理チャネルの個数は異なってもよく、同じであってもよい。一般的に、基地局は、Ｍ個の物理チャネルを全部使用し、端末は、Ｌ個の物理チャネルを使用することができる(Ｍ≧Ｌ、Ｍ及びＬは自然数)。ここで、Ｌは端末の種類によって変わることができる。
【００４３】
多重搬送波システムは、多様な形態でアップリンク及びダウンリンクの構造を設計することができる。ＦＤＤ(ｆｒｅｑｕｅｎｃｙ  ｄｉｖｉｓｉｏｎ  ｄｕｐｌｅｘ)システムまたはＴＤＤ(ｔｉｍｅ  ｄｉｖｉｓｉｏｎ  ｄｕｐｌｅｘ)システムで、アップリンク及びダウンリンクの構造は、アップリンクの帯域幅とダウンリンクの帯域幅とが互いに異なる非対称(ａｓｙｍｍｅｔｒｉｃ)構造に設計されることができる。または、アップリンク及びダウンリンクの構造は、アップリンクの帯域幅とダウンリンクの帯域幅とが同一に設計されることもできる。この場合にも、アップリンク及びダウンリンクの構造は、アップリンク及びダウンリンクが同一個数の物理チャネルを有する対称(ｓｙｍｍｅｔｒｉｃ)構造に設計されたり、或いはアップリンクとダウンリンクが互いに異なる個数の物理チャネルを有する非対称構造に設計されることができる。
【００４４】
図６は、多重搬送波システムでアップリンク及びダウンリンクの非対称構造の例を示す。ＴＴＩ(ｔｒａｎｓｍｉｓｓｉｏｎ  ｔｉｍｅ  ｉｎｔｅｒｖａｌ)は、情報送信のためのスケジューリング単位である。ＦＤＤシステム及びＴＤＤシステムの各々で、アップリンク及びダウンリンクの構造は非対称構造である。アップリンク及びダウンリンクの構造が非対称である場合、特定リンクは、より高い情報処理率(ｔｈｒｏｕｇｈｐｕｔ)を有することがある。従って、システムが流動的に最適化されることができる。
【００４５】
以下、説明の便宜のために、一つのコンポーネント搬送波は、一つの物理チャネルを含むと仮定する。
【００４６】
多重搬送波システムで送信機及び受信機の各コンポーネント搬送波には、単一搬送波システムで使われる全ての送信/受信技法が適用されることができる。また、多重搬送波システムは、レガシー(ｌｅｇａｃｙ)システムである単一搬送波システムと下位互換性(ｂａｃｋｗａｒｄ  ｃｏｍｐａｔｉｂｉｌｉｔｙ)を維持するのが好ましい。多重搬送波システムと単一搬送波システムとの間に互換性が維持されると、ユーザの立場で便利であり、事業者の立場でも既存装備のリサイクルを図ることができるためである。
【００４７】
以下、単一搬送波システムを説明する。
【００４８】
図７は、無線フレーム(ｒａｄｉｏ  ｆｒａｍｅ)の構造を示す。
【００４９】
図７を参照すると、無線フレームは、１０個のサブフレーム(ｓｕｂｆｒａｍｅ)で構成され、一つのサブフレームは、２個のスロット(ｓｌｏｔ)で構成される。無線フレーム内のスロットは、＃０から＃１９までスロット番号がつけられる。一つのサブフレームの送信にかかる時間をＴＴＩという。例えば、一つの無線フレームの長さは１０ｍｓであり、一つのサブフレームの長さは１ｍｓであり、一つのスロットの長さは０.５ｍｓである。
【００５０】
無線フレームの構造は例示に過ぎず、無線フレームに含まれるサブフレームの数またはサブフレームに含まれるスロットの数は多様に変更されることができる。
【００５１】
図８は、一つのダウンリンクスロットに対するリソースグリッド(ｒｅｓｏｕｒｃｅ  ｇｒｉｄ)を示す例示図である。
【００５２】
図８を参照すると、ダウンリンクスロットは、時間領域(ｔｉｍｅ  ｄｏｍａｉｎ)で複数のＯＦＤＭ(ｏｒｔｈｏｇｏｎａｌ  ｆｒｅｑｕｅｎｃｙ  ｄｉｖｉｓｉｏｎ  ｍｕｌｔｉｐｌｅｘｉｎｇ)シンボルを含み、周波数領域(ｆｒｅｑｕｅｎｃｙ  ｄｏｍａｉｎ)でＮＤＬリソースブロック(ｒｅｓｏｕｒｃｅ  ｂｌｏｃｋ；ＲＢ)を含む。ＯＦＤＭシンボルは、一つのシンボル区間(ｓｙｍｂｏｌ  ｐｅｒｉｏｄ)を表現するためのものであり、多重接続方式(ｍｕｌｔｉｐｌｅ  ａｃｃｅｓｓ  ｓｃｈｅｍｅ)によってＯＦＤＭＡ(ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ)シンボル、ＳＣ-ＦＤＭＡ(ｓｉｎｇｌｅｃａｒｒｉｅｒ-ｆｒｅｑｕｅｎｃｙ  ｄｉｖｉｓｉｏｎ  ｍｕｌｔｉｐｌｅ  ａｃｃｅｓｓ)シンボルなどで呼ばれることができる。ダウンリンクスロットに含まれるリソースブロックの数ＮＤＬは、セルで設定されるダウンリンク送信帯域幅(ｔｒａｎｓｍｉｓｓｉｏｎ  ｂａｎｄｗｉｄｔｈ)に従属する。一つのリソースブロックは、周波数領域で複数の副搬送波を含む。
【００５３】
リソースグリッド上の各要素(ｅｌｅｍｅｎｔ)をリソース要素(ｒｅｓｏｕｒｃｅ  ｅｌｅｍｅｎｔ；ＲＥ)という。ここで、一つのリソースブロックは、時間領域で７ＯＦＤＭシンボル、周波数領域で１２副搬送波で構成される７×１２リソース要素を含むことを例示的に記述するが、リソースブロック内のＯＦＤＭシンボルの数と副搬送波の数はこれに制限されるものではない。ＯＦＤＭシンボルの数は、ＣＰ(ｃｙｃｌｉｃ  ｐｒｅｆｉｘ)の長さ、副搬送波間隔によって多様に変更されることができる。例えば、ノーマル(ｎｏｒｍａｌ)ＣＰの場合、ＯＦＤＭシンボルの数は７であり、拡張された(ｅｘｔｅｎｄｅｄ)ＣＰの場合、ＯＦＤＭシンボルの数は６である。
【００５４】
図８における一つのダウンリンクスロットに対するリソースグリッドは、アップリンクスロットに対するリソースグリッドにも適用されることができる。
【００５５】
図９は、ＦＤＤシステムにおける無線フレームとダウンリンクサブフレームの構造を示す。
【００５６】
図９を参照すると、無線フレームは１０個のサブフレームを含み、サブフレームは２個の連続的な(ｃｏｎｓｅｃｕｔｉｖｅ)スロットを含む。ノーマルＣＰの場合、サブフレームは１４個のＯＦＤＭシンボルを含む。拡張されたＣＰの場合、サブフレームは１２個のＯＦＤＭシンボルを含む。無線フレーム毎に同期化チャネルが送信される。同期化チャネルにはＰ-ＳＣＨ(ｐｒｉｍａｒｙ-ＳＣＨ)とＳ-ＳＣＨ(ｓｅｃｏｎｄａｒｙ-ＳＣＨ)がある。Ｐ-ＳＣＨは、無線フレーム内の０番サブフレーム及び５番サブフレームの１番目のスロットの最後のＯＦＤＭシンボルを介して送信される。ノーマルＣＰの場合、サブフレーム内の６番ＯＦＤＭシンボルであり、拡張されたＣＰの場合、サブフレーム内の５番ＯＦＤＭシンボルである。Ｓ-ＳＣＨは、Ｐ-ＳＣＨが送信されるＯＦＤＭシンボルの直前のＯＦＤＭシンボルを介して送信される。
【００５７】
毎サブフレーム内の１番目のスロットの前方部の最大３ＯＦＤＭシンボル(０番、１番、及び２番ＯＦＤＭシンボル)は制御領域(ｃｏｎｔｒｏｌ  ｒｅｇｉｏｎ)であり、残りのＯＦＤＭシンボルはデータ領域(ｄａｔａ  ｒｅｇｉｏｎ)である。データ領域にはＰＤＳＣＨ(ｐｈｙｓｉｃａｌ  ｄｏｗｎｌｉｎｋ  ｓｈａｒｅｄ  ｃｈａｎｎｅｌ)が割り当てられることができる。ＰＤＳＣＨ上にはダウンリンクデータが送信される。
【００５８】
制御領域にはＰＣＦＩＣＨ(ｐｈｙｓｉｃａｌ  ｃｏｎｔｒｏｌ  ｆｏｒｍａｔ  ｉｎｄｉｃａｔｏｒ  ｃｈａｎｎｅｌ)、ＰＨＩＣＨ(ｐｈｙｓｉｃａｌ  ＨＡＲＱ(ｈｙｂｒｉｄ  ａｕｔｏｍａｔｉｃ  ｒｅｐｅａｔ  ｒｅｑｕｅｓｔ)  ｉｎｄｉｃａｔｏｒ  ｃｈａｎｎｅｌ)、及びＰＤＣＣＨ(ｐｈｙｓｉｃａｌ  ｄｏｗｎｌｉｎｋ  ｃｏｎｔｒｏｌ  ｃｈａｎｎｅｌ)などの制御チャネルが割り当てられることができる。
【００５９】
リソース要素グループ(ｒｅｓｏｕｒｃ  ｅｅｌｅｍｅｎｔ  ｇｒｏｕｐ；以下、ＲＥＧという)は、リソース要素への制御チャネルマッピングを定義するために使われる。
【００６０】
図１０は、基地局が一つまたは二つの送信アンテナを使用する場合、ＲＥＧ構造の例を示す。図１１は、基地局が４個の送信アンテナを使用する場合、ＲＥＧ構造の例を示す。図１０と図１１の両方ともサブフレーム内の１番目のスロットの前方部の最大３ＯＦＤＭシンボル(０番、１番、及び２番ＯＦＤＭシンボル)が制御領域であると仮定する。
【００６１】
図１０及び図１１を参照すると、Ｒｐはｐ番アンテナを介する参照信号(ｒｅｆｅｒｅｎｃｅ  ｓｉｇｎａｌ；以下、ＲＳという)送信に使われるリソース要素を示す(ｐ∈{０,１,２,３})。参照信号は、パイロット(ｐｉｌｏｔ)とも呼ばれることができる。一つのＲＥＧは、ＲＳ送信に使われるリソース要素を除いた周波数領域で隣接した(ａｄｊａｃｅｎｔ)４個のリソース要素で構成される。サブフレーム内の０番ＯＦＤＭシンボルには、周波数領域で一つのリソースブロック内の２個のＲＥＧがある。ＲＥＧの構造は例示に過ぎず、ＲＥＧに含まれるリソース要素の数は多様に変更されることができる。
【００６２】
ＰＨＩＣＨは、アップリンクデータに対するＨＡＲＱ  ＡＣＫ(ａｃｋｎｏｗｌｅｄｇｅｍｅｎｔ)/ＮＡＣＫ(ｎｏｔ-ａｃｋｎｏｗｌｅｄｇｅｍｅｎｔ)を運ぶ。
【００６３】
ＰＣＦＩＣＨは、端末にサブフレーム内でＰＤＣＣＨの送信に使われるＯＦＤＭシンボルの個数に関する情報を運ぶ(ｃａｒｒｙ)。ここで、制御領域が３ＯＦＤＭシンボルを含むことは例示にすぎない。制御情報の量により０番ＯＦＤＭシンボル、０番及び１番ＯＦＤＭシンボル、または０番〜２番ＯＦＤＭシンボルを介してＰＤＣＣＨが送信される。ＰＤＣＣＨ送信に使われるＯＦＤＭシンボルの数は、サブフレーム毎に変更されることができる。ＰＣＦＩＣＨは、サブフレーム毎に１番目のＯＦＤＭシンボル(０番ＯＦＤＭシンボル)を介して送信される。ＰＣＦＩＣＨは、単一アンテナ(ｓｉｎｇｌｅ  ａｎｔｅｎｎａ)を介して送信されることもでき、或いは送信ダイバーシティ技法が使われた多重アンテナを介して送信されることもできる。端末は、サブフレームの受信の際、ＰＣＦＩＣＨを介して送信される制御情報を確認した後、ＰＤＣＣＨを介して送信される制御情報を受信する。
【００６４】
ＰＣＦＩＣＨを介して送信される制御情報をＣＦＩ(ｃｏｎｔｒｏｌ  ｆｏｒｍａｔ  ｉｎｄｉｃａｔｏｒ)という。例えば、ＣＦＩ値は、１、２または３であり、ＣＦＩ値は、サブフレームでＰＤＣＣＨ送信に使われるＯＦＤＭシンボルの数を示す。即ち、ＣＦＩが２であると、サブフレームでＰＤＣＣＨ送信に使われるＯＦＤＭシンボルの数は２である。ただし、これは例示に過ぎず、ＣＦＩが示す情報は、ダウンリンク送信帯域幅によって異に定義されることができる。例えば、ダウンリンク送信帯域幅が特定閾値(ｔｈｒｅｓｈｏｌｄ  ｖａｌｕｅ)より小さい場合、ＣＦＩ値１、２、及び３は、各々、サブフレームでＰＤＣＣＨ送信に使われるＯＦＤＭシンボルの数が２、３、及び４であることを示す。
【００６５】
次の表は、ＣＦＩとＣＦＩにチャネルコーディングが実行されて生成された３２ビットＣＦＩコードワードの例を示す。
【００６６】
【表１】
2011529662.tif 000003
【００６７】
３２ビットＣＦＩコードワードは、ＱＰＳＫ(ｑｕａｄｒａｔｕｒｅ  ｐｈａｓｅ  ｓｈｉｆｔ  ｋｅｙｉｎｇ)を介して１６個の変調シンボルにマッピングされることができる。この場合、ＰＣＦＩＣＨ送信には１６リソース要素(または、１６副搬送波)が使われる。即ち、ＰＣＦＩＣＨ送信には４個のＲＥＧが使われる。
【００６８】
図１２は、ＲＥＧへのＰＣＦＩＣＨのマッピングの例を示す。
【００６９】
図１２を参照すると、ＰＣＦＩＣＨは、４個のＲＥＧにマッピングされ、ＰＣＦＩＣＨがマッピングされる各ＲＥＧは、互いに離隔されている。ＰＣＦＩＣＨのマッピングされるＲＥＧは、周波数領域でリソースブロックの個数によって変わる。ＰＣＦＩＣＨのセル間干渉を防止するために、ＰＣＦＩＣＨのマッピングされるＲＥＧは、セルＩＤによって周波数領域でシフト(ｓｈｉｆｔ)されることができる。
【００７０】
次に、ＰＤＣＣＨに対して説明する。
【００７１】
制御領域は、複数のＣＣＥ(ｃｏｎｔｒｏｌ  ｃｈａｎｎｅｌ  ｅｌｅｍｅｎｔｓ)の集合で構成される。ダウンリンクサブフレームでＣＣＥ集合を構成するＣＣＥの総数がＮ(ＣＣＥ)であると、ＣＣＥは０からＮ(ＣＣＥ)-１までＣＣＥインデックスがつけられる。ＣＣＥは、複数のＲＥＧに対応される。例えば、一つのＣＣＥは、９ＲＥＧに対応されることができる。ＰＤＣＣＨは、一つまたは複数の連続的なＣＣＥの集団(ａｇｇｒｅｇａｔｉｏｎ)上に送信される。ＣＣＥ集団を構成するＣＣＥの個数によってＰＤＣＣＨフォーマット及び可能なＰＤＣＣＨのビット数が決定される。以下、ＰＤＣＣＨ送信のために使われるＣＣＥ集団を構成するＣＣＥの数をＣＣＥ集団レベル(ａｇｇｒｅｇａｔｉｏｎ  ｌｅｖｅｌ)という。また、ＣＣＥ集団レベルは、ＰＤＣＣＨを検索するためのＣＣＥ単位である。ＣＣＥ集団レベルの大きさは、隣接するＣＣＥの数により定義される。例えば、ＣＣＥ集団レベルは{１,２,４,８}の元素である。
【００７２】
次の表は、ＣＣＥ集団レベルによるＰＤＣＣＨフォーマット、ＲＥＧの個数、及びＰＤＣＣＨのビット数の例を示す。
【００７３】
【表２】
2011529662.tif 000004
【００７４】
ＰＤＣＣＨを介して送信される制御情報をＤＣＩ(ｄｏｗｎｌｉｎｋ  ｃｏｎｔｒｏｌ  ｉｎｆｏｒｍａｔｉｏｎ)という。ＤＣＩは、ダウンリンクスケジューリング情報、アップリンクスケジューリング情報、またはアップリンクパワー制御命令などを伝達する。ダウンリンクスケジューリング情報は、ダウンリンクグラント(ｇｒａｎｔ)とも呼ばれ、アップリンクスケジューリング情報は、アップリンクグラントとも呼ばれる。
【００７５】
図１３は、端末で実行されるデータ送信方法及びデータ受信方法の例を示す流れ図である。
【００７６】
図１３を参照すると、基地局は、端末にアップリンクグラントを送信する(Ｓ１１)。端末は、基地局にアップリンクグラントに基づいてアップリンクデータを送信する(Ｓ１２)。アップリンクグラントは、ＰＤＣＣＨ上に送信されることができ、アップリンクデータは、ＰＵＳＣＨ(ｐｈｙｓｉｃａｌ  ｕｐｌｉｎｋ  ｓｈａｒｅｄ  ｃｈａｎｎｅｌ)上に送信されることができる。ＰＤＣＣＨの送信されるサブフレームとＰＵＳＣＨの送信されるサブフレームとの関係は、基地局と端末との間に予め定められることができる。例えば、ＦＤＤシステムで、ＰＤＣＣＨがｎ番サブフレームを介して送信されると、ＰＵＳＣＨは、ｎ＋４番サブフレームを介して送信されることができる。
【００７７】
基地局は、端末にダウンリンクグラントを送信する(Ｓ１３)。端末は、ダウンリンクグラントに基づいてダウンリンクデータを受信する(Ｓ１４)。ダウンリンクグラントは、ＰＤＣＣＨ上に送信されることができ、ダウンリンクデータは、ＰＤＳＣＨ上に送信されることができる。例えば、ＰＤＣＣＨ及びＰＤＳＣＨは、同一サブフレームに送信されることができる。
【００７８】
このように、端末は、基地局からダウンリンクデータを受信したり、または基地局にアップリンクデータを送信するために、ＰＤＣＣＨ上にＤＣＩを受信しなければならない。
【００７９】
ＤＣＩは、用途によって互いに異なるＤＣＩフォーマットを使用することができる。例えば、ダウンリンクグラントのために使われるＤＣＩフォーマットとアップリンクグラントのために使われるＤＣＩフォーマットとは互いに異なる。ＤＣＩフォーマットによってＤＣＩの大きさ及び用途が変わることができる。
【００８０】
次の表は、ＤＣＩフォーマットの例を示す。
【００８１】
【表３】
2011529662.tif 000005
【００８２】
表を参照すると、ＤＣＩフォーマット０は、ＰＵＳＣＨ(ｐｈｙｓｉｃａｌ  ｕｐｌｉｎｋ  ｓｈａｒｅｄ  ｃｈａｎｎｅｌ)スケジューリングのために使われる。ＤＣＩフォーマット０は、アップリンクグラントのために使われる。
【００８３】
ＤＣＩフォーマット１は、一つのＰＤＳＣＨコードワードのスケジューリングのために使われる。ＤＣＩフォーマット１Ａは、一つのＰＤＳＣＨコードワードの簡単な(ｃｏｍｐａｃｔ)スケジューリングのために使われる。ＤＣＩフォーマット１Ｂは、閉ループ(ｃｌｏｓｅｄ-ｌｏｏｐ)ランク１である送信モードで一つのＰＤＳＣＨコードワードの簡単なスケジューリングのために使われる。ＤＣＩフォーマット１Ｃは、ページング、ランダムアクセスチャネル応答(ｒａｎｄｏｍ  ａｃｃｅｓｓ  ｃｈａｎｎｅｌ(ＲＡＣＨ)  ｒｅｓｐｏｎｓｅ)及び動的ＢＣＣＨ(ｂｒｏａｄｃａｓｔ  ｃｏｎｔｒｏｌ  ｃｈａｎｎｅｌ)のために使われる。ＤＣＩフォーマット１Ｄは、ＭＵ(ｍｕｌｔｉ-ｕｓｅｒ)-ＭＩＭＯモードでＰＤＳＣＨスケジューリングのために使われる。ＤＣＩフォーマット２は、閉ループランク適応的な空間多重化(ｓｐａｔｉａｌ  ｍｕｌｔｉｐｌｅｘｉｎｇ)モードでＰＤＳＣＨスケジューリングのために使われる。ＤＣＩフォーマット２Ａは、開ループ(Ｏｐｅｎ-ｌｏｏｐ)ランク適応的な空間多重化モードでＰＤＳＣＨスケジューリングのために使われる。ＤＣＩフォーマット１からフォーマット２Ａまでは、各々、ダウンリンクグラントのために使われる。ただし、ＤＣＩの用途や基地局の送信モード(ｔｒａｎｓｍｉｓｓｉｏｎ  ｍｏｄｅ)によって異なるＤＣＩフォーマットが使われる。
【００８４】
ＤＣＩフォーマット３と３Ａは、ＰＵＣＣＨ(ｐｈｙｓｉｃａｌ  ｕｐｌｉｎｋ  ｃｏｎｔｒｏｌ  ｃｈａｎｎｅｌ)及びＰＵＳＣＨのためのＴＰＣ(Ｔｒａｎｓｍｉｓｓｉｏｎ  Ｐｏｗｅｒ  Ｃｏｎｔｒｏｌ)命令の送信のために使われる。ＤＣＩフォーマット３と３Ａは、アップリンクパワー制御命令のために使われる。
【００８５】
各ＤＣＩフォーマットは、複数の情報フィールドで構成される。ＤＣＩフォーマット毎にＤＣＩフォーマットを構成する情報フィールドの種類、各情報フィールドの大きさなどが変わることができる。例えば、ダウンリンクグラント(またはアップリンクグラント)は、無線リソースを指示するリソース割当フィールド(ｒｅｓｏｕｒｃｅ  ａｌｌｏｃａｔｉｏｎ  ｆｉｅｌｄ)を含む。また、ダウンリンクグラント(またはアップリンクグラント)は、変調方式及びチャネルコーディング方式を指示するＭＣＳ(ｍｏｄｕｌａｔｉｏｎ  ａｎｄ  ｃｏｄｉｎｇ  ｓｃｈｅｍｅ)フィールドをさらに含むことができる。なお、ダウンリンクグラント(またはアップリンクグラント)は、多様な情報フィールドをさらに含むことができる。
【００８６】
図１４は、ＰＤＣＣＨ構成方法の例を示すフローチャートである。
【００８７】
図１４を参照すると、基地局は、ＤＣＩフォーマットによって情報ビットストリーム(ｂｉｔ  ｓｔｒｅａｍ)を生成する(Ｓ２１)。
【００８８】
基地局は、情報ビットストリームにエラー検出(ｅｒｒｏｒ  ｄｅｔｅｃｔｉｏｎ)のためのＣＲＣ(ｃｙｃｌｉｃ  ｒｅｄｕｎｄａｎｃｙ  ｃｈｅｃｋ)を付加(ａｔｔａｃｈｍｅｎｔ)する(Ｓ２２)。情報ビットストリームは、ＣＲＣ計算のために使われることができる。ＣＲＣは、パリティビット(ｐａｒｉｔｙ  ｂｉｔｓ)であり、情報ビットストリームの後または前にＣＲＣが付加されることができる。
【００８９】
ＣＲＣにはＤＣＩの所有者(ｏｗｎｅｒ)や用途によって識別子(これをＲＮＴＩ(ｒａｄｉｏ  ｎｅｔｗｏｒｋ  ｔｅｍｐｏｒａｒｙ  ｉｄｅｎｔｉｆｉｅｒ)という)がマスキングされる。マスキングは、ＣＲＣが識別子でスクランブル(ｓｃｒａｍｂｌｅ)されることである。マスキングは、ＣＲＣと識別子がモジュロ(ｍｏｄｕｌｏ)２演算またはＸＯＲ(ｅｘｃｌｕｓｉｖｅ  ｏｒ)演算されることである。
【００９０】
特定端末のためのＤＣＩの場合、端末の固有識別子、例えば、Ｃ-ＲＮＴＩ(ｃｅｌｌ-ＲＮＴＩ)がＣＲＣにマスキングされることができる。Ｃ-ＲＮＴＩは、端末ＩＤ(ｉｄｅｎｔｉｆｉｅｒ)とも呼ばれる。ＣＲＣにはＣ-ＲＮＴＩの以外にも異なるＲＮＴＩがマスキングされることができる。ページングメッセージのためのＰ-ＲＮＴＩ(ｐａｇｉｎｇ-ＲＮＴＩ)、システム情報(ｓｙｓｔｅｍ  ｉｎｆｏｒｍａｔｉｏｎ)のためのＳＩ-ＲＮＴＩ(ｓｙｓｔｅｍｉｎｆｏｒｍａｔｉｏｎ-ＲＮＴＩ)、及び端末のランダムアクセスプリアンブルの送信に対する応答であるランダムアクセス応答を指示するためのＲＡ-ＲＮＴＩ(ｒａｎｄｏｍ  ａｃｃｅｓｓ-ＲＮＴＩ)などがＣＲＣにマスキングされることができる。
【００９１】
基地局は、ＣＲＣが付加された情報ビットストリームにチャネルコーディング(ｃｈａｎｎｅｌ  ｃｏｄｉｎｇ)を実行して符号化されたビットストリームを生成する(Ｓ２３)。チャネルコーディング方式には制限がない。例えば、コンボリューションコーディング(ｃｏｎｖｏｌｕｔｉｏｎ  ｃｏｄｉｎｇ)方式が使われることができる。チャネルコーディング率(ｃｈａｎｎｅｌ  ｃｏｄｉｎｇ  ｒａｔｅ)によってＰＤＣＣＨのビット数が変わることができる。
【００９２】
基地局は、符号化されたビットストリームにレートマッチング(ｒａｔｅ  ｍａｔｃｈｉｎｇ)を実行してレートマッチングされたビットストリームを生成する(Ｓ２４)。基地局は、レートマッチングされたビットストリームを変調(ｍｏｄｕｌａｔｉｏｎ)して変調シンボルを生成する(Ｓ２５)。基地局は、変調シンボルをリソース要素にマッピングする(Ｓ２６)。
【００９３】
以上のように、一つのＰＤＣＣＨ構成方法を説明した。しかし、一つのサブフレーム内で複数の制御チャネルが送信されることができる。即ち、一つのサブフレーム内で数個の端末に対する複数のＰＤＣＣＨが多重化されて送信されることができる。情報ビットストリーム生成、ＣＲＣ付着、チャネルコーディング、及びレートマッチングなどは、各ＰＤＣＣＨ毎に独立的に実行される。即ち、図１４のＰＤＣＣＨ構成過程は、各ＰＤＣＣＨ毎に独立的に実行されることができる。
【００９４】
図１５は、基地局で実行される複数の端末に対する複数のＰＤＣＣＨ多重化方法の例を示す。
【００９５】
図１５を参照すると、サブフレーム内の制御領域を構成するＣＣＥ集合は、０からＮ(ＣＣＥ)-１までＣＣＥインデックスがつけられたＮ(ＣＣＥ)個のＣＣＥで構成される。端末＃１のためのＰＤＣＣＨは、ＣＣＥ集団レベル１でＣＣＥインデックス０であるＣＣＥ集団上に送信される。端末＃２のためのＰＤＣＣＨは、ＣＣＥ集団レベル１でＣＣＥインデックス１であるＣＣＥ集団上に送信される。端末＃３のためのＰＤＣＣＨは、ＣＣＥ集団レベル２でＣＣＥインデックス２及び３であるＣＣＥ集団上に送信される。端末＃４のためのＰＤＣＣＨは、ＣＣＥ集団レベル４でＣＣＥインデックス４、５、６、及び７であるＣＣＥ集団上に送信される。端末＃５のためのＰＤＣＣＨは、ＣＣＥ集団レベル２でＣＣＥインデックス８及び９であるＣＣＥ集団上に送信される。
【００９６】
ＣＣＥは、ＣＣＥ及びリソース要素間マッピング規則(ＣＣＥ-ｔｏ-ＲＥ  ｍａｐｐｉｎｇ  ｒｕｌｅ)によってリソース要素にマッピングされる。この時、各端末のＰＤＣＣＨは、サブフレーム内の制御領域にインターリービング(ｉｎｔｅｒｌｅａｖｉｎｇ)されてリソース要素にマッピングされる。サブフレーム内のＰＤＣＣＨの送信に使われるＯＦＤＭシンボルの個数、ＰＨＩＣＨグループの個数、送信アンテナの個数、及び周波数シフト(ｆｒｅｑｕｅｎｃｙ  ｓｈｆｉｔ)によってマッピングされるリソース要素の位置が変わることができる。
【００９７】
基地局は、前記端末のＰＤＣＣＨがサブフレーム内のどこにあるかに関する情報を端末に提供しない。一般的に、端末は、サブフレーム内の前記端末のＰＤＣＣＨの位置が分からない状態で、サブフレーム毎にＰＤＣＣＨ候補(ｃａｎｄｉｄａｔｅｓ)の集合をモニタリング(ｍｏｎｉｔｏｒｉｎｇ)して前記端末のＰＤＣＣＨを探す。ここで、モニタリングとは、端末がモニタリングされる全てのＤＣＩフォーマットによってＰＤＣＣＨ候補の各々に対してデコーディングを試すことを意味する。これをブラインドデコーディング(ｂｌｉｎｄ  ｄｅｃｏｄｉｎｇ)またはブラインド検出(ｂｌｉｎｄ  ｄｅｔｅｃｔｉｏｎ)と呼ぶ。もし、端末がＰＤＣＣＨ候補でＣ-ＲＮＴＩをデマスキング(ｄｅｍａｓｋｉｎｇ)した後、ＣＲＣ検査をしてＣＲＣエラーが検出されないと、端末は、前記ＰＤＣＣＨ候補を前記端末のＰＤＣＣＨとして検出したことである。
【００９８】
また、端末は、前記端末のＰＤＣＣＨがどのＣＣＥ集団レベルで送信されるかが分からない。従って、端末は、可能なＣＣＥ集団レベル別にＰＤＣＣＨ候補の集合のデコーディングを試さなければならない。
【００９９】
図１６は、端末で実行される制御チャネルモニタリング方法の例を示す。
【０１００】
図１６を参照すると、サブフレーム内の制御領域を構成するＣＣＥ集合は、０からＮ(ＣＣＥ)-１までＣＣＥインデックスがつけられたＮ(ＣＣＥ)個のＣＣＥで構成される。ＣＣＥ集団レベル(Ｌ)は{１,２,４,８}であり、即ち、４種類である。ＣＣＥ集団レベル別に端末のモニタリングするＰＤＣＣＨ候補の集合が異に定義される。例えば、ＣＣＥ集団レベルが１である場合、ＰＤＣＣＨ候補は、ＣＣＥ集合を構成する全てのＣＣＥである。ＣＣＥ集団レベルが２である場合、ＰＤＣＣＨ候補は、ＣＣＥインデックス０及び１であるＣＣＥ集団、ＣＣＥインデックス２及び３であるＣＣＥ集団などである。ＣＣＥ集団レベルが４である場合、ＰＤＣＣＨ候補は、ＣＣＥインデックス０から３までのＣＣＥ集団、ＣＣＥインデックス４から７までのＣＣＥ集団などである。ＣＣＥ集団レベルが８である場合、ＰＤＣＣＨ候補は、ＣＣＥインデックス０から７までのＣＣＥ集団などである。
【０１０１】
以上、単一搬送波システムのフレーム構造、ＰＤＣＣＨ送信及びモニタリング方法などに対して説明した。多重搬送波システムを最適化するために、多重アンテナ技法または制御チャネルは、各コンポーネント搬送波別に周波数チャネル特性を考慮して設計されなければならない。従って、各コンポーネント搬送波別に最適送信/受信技法及びシステムパラメータが適切に使われることが重要である。また、多重搬送波システムの一つのコンポーネント搬送波でレガシーシステムと同一なフレーム構造が使われることができる。この場合、レガシーシステムのための端末と多重搬送波システムのための端末の両方とも動作することができるように、制御チャネルが適切に変形されなければならない。以下、レガシーシステムのための端末をＬＴＥ(ｌｏｎｇ  ｔｅｒｍ  ｅｖｏｌｕｔｉｏｎ)端末といい、多重搬送波システムのための端末をＬＴＥ-Ａ(ＬＴＥ-ａｄｖａｎｃｅｄ)端末という。
【０１０２】
図１７は、多重搬送波システムにおけるＰＤＣＣＨ送信方法の例を示す。
【０１０３】
図１７を参照すると、多重搬送波システムは、複数のコンポーネント搬送波(ＣＣ＃１,ＣＣ＃２,...,ＣＣ＃Ｌ)を使用する。各サブフレームのコンポーネント搬送波毎に端末＃１のためのＰＤＣＣＨが送信される。端末＃１は、各サブフレームのコンポーネント搬送波別に端末＃１のＰＤＣＣＨを探すためにブラインドデコーディングを試さなければならない。
【０１０４】
従って、多重搬送波システムでＬ個のダウンリンクコンポーネント搬送波が使われる場合、ＬＴＥ-Ａ端末は、ＬＴＥ端末に比べてＬ倍高い受信複雑度でＰＤＣＣＨを受信しなければならない。これはＬＴＥ-Ａ端末に大きい電力消耗を引き起こさせる問題がある。従って、スケジューリング状況またはチャネル状況によって制御チャネルの受信複雑度を最小にする多重搬送波システムにおける効率的な制御チャネル送信方法及び制御チャネルモニタリング方法が必要である。
【０１０５】
図１８は、本発明の実施例に係る制御チャネル送信方法/制御チャネルモニタリング方法を示す流れ図である。
【０１０６】
図１８を参照すると、基地局は、端末にＰＤＣＣＨマップを送信する(Ｓ１１０)。端末は、ＰＤＣＣＨマップに基づいてＰＤＣＣＨ候補の集合をモニタリングする(Ｓ１２０)。
【０１０７】
ＰＤＣＣＨマップは、端末のブラインドデコーディング複雑度を低くするために、基地局が端末に送信するＰＤＣＣＨと関連した情報を含む。ＰＤＣＣＨマップは、モニタリング集合フィールド及び/またはＣＣＥフィールドを含むことができる。ＰＤＣＣＨマップは、各ＤＣＩフォーマットによって異に設定されることができる。
【０１０８】
まず、モニタリング集合フィールドに対して説明する。
【０１０９】
端末がＬ個のダウンリンクコンポーネント搬送波を使用する場合、基地局は、前記端末にＬ個のダウンリンクコンポーネント搬送波の中からＮ個のダウンリンクコンポーネント搬送波を介して同時にＰＤＣＣＨを送信することができる(Ｌ≧Ｎ、Ｌ及びＮは、各々、自然数)。この時、基地局が端末にＰＤＣＣＨの送信されるＮ個のダウンリンクコンポーネント搬送波を知らせると、端末は、Ｎ個のダウンリンクコンポーネント搬送波でのみブラインドデコーディングを実行する。これによって、端末のブラインドデコーディング複雑度が低くなることができる。即ち、モニタリング集合フィールドは、Ｌ個のダウンリンクコンポーネント搬送波の中からＮ個のダウンリンクコンポーネント搬送波を指示する。基地局は、端末にモニタリング集合フィールドが指示する前記Ｎ個のダウンリンクコンポーネント搬送波を介してのみＰＤＣＣＨを送信する。端末は、前記Ｎ個のダウンリンクコンポーネント搬送波でのみＰＤＣＣＨをモニタリングする。即ち、端末は、前記Ｎ個のダウンリンク副搬送波の各々でＰＤＣＣＨ候補の集合をモニタリングする。モニタリング集合フィールドは、各ＤＣＩフォーマットによって異に設定されることができる。
【０１１０】
図１９は、多重搬送波システムにおけるＰＤＣＣＨマップを介してＰＤＣＣＨを送信する一例を示す。
【０１１１】
図１９を参照すると、ＰＤＣＣＨマップは、モニタリング集合フィールドを含む。ＰＤＣＣＨマップは、コンポーネント搬送波＃１(ＣＣ＃１)を介してのみ送信される。ＰＤＣＣＨマップは、サブフレーム毎に動的に(ｄｙｎａｍｉｃ)送信される。ＰＤＣＣＨマップが動的に送信される場合、スケジューリングの流動性を高めることができる。図１９は、ＰＤＣＣＨマップ送信方法の例示に過ぎず、ＰＤＣＣＨマップ送信方法は制限されない。
【０１１２】
以下、ＰＤＣＣＨマップが送信される無線リソースに対して説明する。ＰＤＣＣＨマップ送信に用いられる無線リソースは、時間リソース、周波数リソース及び/またはコードリソースの組合せで構成されることができる。ＰＤＣＣＨマップの送信される無線リソースは、基地局と端末との間に予め決定した規約によって定められることができる。または、ＰＤＣＣＨマップは、ＰＤＣＣＨ形態で送信されることができる。即ち、端末は、サブフレーム内のＰＤＣＣＨマップの位置が分からない状態で、サブフレーム毎にＰＤＣＣＨマップを探すためにブラインドデコーディングを試す。例えば、ＰＤＣＣＨマップは、ＰＤＣＣＨマップフォーマットによって情報ビットストリームを生成し、ＣＲＣにＰＤＣＣＨマップの所有者である端末ＩＤをマスキングして生成されることができる。ＰＤＣＣＨマップフォーマットは、情報フィールドとしてモニタリング集合フィールド及び/またはＣＣＥフィールドを含むことができる。
【０１１３】
ただし、ＰＤＣＣＨマップがＰＤＣＣＨ形態で送信される場合であるとしても、端末は、ＰＤＣＣＨマップが送信されるダウンリンクコンポーネント搬送波を知っているのが好ましい。端末がＰＤＣＣＨマップの送信されるダウンリンクコンポーネント搬送波を知らない場合、ブラインドデコーディングの複雑度を減らそうとするＰＤＣＣＨマップの送信目的に合わないためである。
【０１１４】
以下、ＰＤＣＣＨマップが送信されるコンポーネント搬送波に対して説明する。
【０１１５】
基地局は、端末にＰＤＣＣＨマップを予め決定された一定のダウンリンクコンポーネント搬送波を介して送信することができる。または、ＰＤＣＣＨマップの送信されるダウンリンクコンポーネント搬送波は、時間によって変更されることができる。例えば、ＰＤＣＣＨマップの送信されるダウンリンクコンポーネント搬送波は、チャネル状況によって一定時間周期に変更されることができる。また、ＰＤＣＣＨマップの送信されるダウンリンクコンポーネント搬送波は、基地局及び端末が予め決定したホッピング規則(ｈｏｐｐｉｎｇ  ｒｕｌｅ)によって特定パターンに変更されることができる。この場合、ＰＤＣＣＨマップは、複数のダウンリンクコンポーネント搬送波に分散されて送信されることができる。他の方法で、基地局は、端末にＰＤＣＣＨマップが送信されるダウンリンクコンポーネント搬送波をＲＲＣ(ｒａｄｉｏ  ｒｅｓｏｕｒｃｅ  ｃｏｎｔｒｏｌ)のような上位階層シグナリングを介して半静的に設定することができる。この場合、ＰＤＣＣＨマップの送信されるダウンリンクコンポーネント搬送波は、半静的に(ｓｅｍｉ-ｓｔａｔｉｃａｌｌｙ)変更される。
【０１１６】
ＰＤＣＣＨマップの送信されるダウンリンクコンポーネント搬送波は、端末によって定められることができる。端末によって割当を受ける複数のダウンリンクコンポーネント搬送波が異なることがある。端末は、割当を受けた複数のダウンリンクコンポーネント搬送波の中から最も低い周波数帯域のダウンリンクコンポーネント搬送波をＰＤＣＣＨマップ送信に使用することができる。低い周波数帯域が信頼度が最も高いためである。
【０１１７】
全てのダウンリンクコンポーネント搬送波でＰＤＣＣＨが送信されない場合、基地局は、端末にＰＤＣＣＨ存在有無を知らせるためにＰＤＣＣＨマップを送信することができる。または、基地局は、端末にＰＤＣＣＨマップを送信しなくてエラーと認識するようにすることもできる。
【０１１８】
図２０は、多重搬送波システムにおけるＰＤＣＣＨマップを介してＰＤＣＣＨを送信する他の例を示す。
【０１１９】
図２０を参照すると、多重搬送波システムは、３個のダウンリンクコンポーネント搬送波(ＣＣ＃１、ＣＣ＃２、及びＣＣ＃３)を使用する。ＰＤＣＣＨマップは、モニタリング集合フィールドを含む。端末＃１のためのＰＤＣＣＨマップは、サブフレーム毎にＣＣ＃１を介して送信される。サブフレームｎで、端末＃１のためのモニタリング集合フィールドは、ＣＣ＃１、ＣＣ＃２、及びＣＣ＃３を指示する。従って、ＣＣ＃１、ＣＣ＃２、及びＣＣ＃３の各々を介して端末＃１のためのＰＤＣＣＨが送信される。サブフレームｎ＋１で、端末＃１のための端末＃１のためのモニタリング集合フィールドは、ＣＣ＃２を指示する。従って、ＣＣ＃２を介してのみ端末＃１のためのＰＤＣＣＨが送信される。サブフレームｎ＋ｋで、端末＃１のためのモニタリング集合フィールドは、ＣＣ＃１及びＣＣ＃３を指示する。従って、ＣＣ＃１及びＣＣ＃３の各々を介して端末＃１のためのＰＤＣＣＨが送信される。
【０１２０】
モニタリング集合フィールドは、ビットマップ(ｂｉｔｍａｐ)を用いてＰＤＣＣＨが送信されるダウンリンクコンポーネント搬送波を指示することができる。複数のダウンリンクコンポーネント搬送波の各々は、モニタリング集合フィールドの各ビットに対応され、ＰＤＣＣＨの送信されるダウンリンクコンポーネント搬送波は、‘１’で表現することができる。例えば、図２０の場合、モニタリング集合フィールドの大きさは３ビットである。サブフレームｎで、端末＃１のためのモニタリング集合フィールドは、１１１であり、サブフレームｎ＋１で、端末＃１のためのモニタリング集合フィールドは、０１０であり、サブフレームｎ＋ｋで、端末＃１のためのモニタリング集合フィールドは、１０１である。
【０１２１】
図１９及び２０ではＰＤＣＣＨマップがサブフレーム毎に動的に送信された。この場合、ＰＤＣＣＨの送信されるダウンリンクコンポーネント搬送波は、サブフレーム毎に動的に変わる。
【０１２２】
基地局は、ＰＤＣＣＨマップをＲＲＣのような上位階層シグナリングを介して半静的に設定することができる。この場合、ＰＤＣＣＨの送信されるダウンリンクコンポーネント搬送波は、半静的に変わる。
【０１２３】
図２１は、半静的にＰＤＣＣＨマップが設定される場合の一例を示す。
【０１２４】
図２１を参照すると、多重搬送波システムは、３個のダウンリンクコンポーネント搬送波(ＣＣ＃１、ＣＣ＃２、及びＣＣ＃３)を使用する。ＰＤＣＣＨマップは、モニタリング集合フィールドを含む。端末＃１のためのモニタリング集合フィールドは、ＣＣ＃１及びＣＣ＃３を指示し、ＣＣ＃２を指示しないと仮定する。ＰＤＣＣＨマップは、半静的に設定され、サブフレームｎからサブフレームｎ＋ｋまで、端末＃１のためのＰＤＣＣＨは、ＣＣ＃１及びＣＣ＃３を介してのみ送信される。図２１ではＰＤＣＣＨの送信されるダウンリンクコンポーネント搬送波を介してのみ前記ＰＤＣＣＨに対応するＰＤＳＣＨが送信される。即ち、ＰＤＣＣＨがＣＣ＃１を介して送信される場合、前記ＰＤＣＣＨに対応するＰＤＳＣＨは、ＣＣ＃１を介してのみ送信される。この場合、ＣＣ＃２を介しては端末＃１のためのＰＤＳＣＨを送信することができない。従って、端末＃１は、ＣＣ＃２でいかなる情報も受信しない。基地局が端末＃１にＰＤＳＣＨを介して送信しようとするダウンリンクデータの大きさが小さい場合、ＣＣ＃２が端末＃１に対するダウンリンクデータ送信に使用しなくても何等の問題がない。
【０１２５】
無線リソーススケジューリング(ｒａｄｉｏ  ｒｅｓｏｕｒｃｅ  ｓｃｈｅｄｕｌｉｎｇ)方式が半持続的スケジューリング(ｓｅｍｉ-ｐｅｒｓｉｓｔｅｎｔ  ｓｃｈｅｄｕｌｉｎｇ；ＳＰＳ)方式である場合、端末は、ＰＤＣＣＨを受信しなくてもＰＤＳＣＨ上のダウンリンクデータを読み取ることができる。従って、基地局は、端末＃１にＣＣ＃２を介して半持続的スケジューリング方式のＰＤＳＣＨを送信することができる。
【０１２６】
図２２は、半静的にＰＤＣＣＨマップが設定される場合の他の例を示す。図２２は、図２１と同様に、多重搬送波システムは、３個のダウンリンクコンポーネント搬送波(ＣＣ＃１、ＣＣ＃２、及びＣＣ＃３)を使用する。端末＃１のためのＰＤＣＣＨマップに含まれたモニタリング集合フィールドは、ＣＣ＃１及びＣＣ＃３を指示し、ＣＣ＃２を指示しないと仮定する。
【０１２７】
図２２を参照すると、ＰＤＳＣＨの送信されるダウンリンクコンポーネント搬送波は、前記ＰＤＳＣＨをスケジューリングするＰＤＣＣＨが送信されるダウンリンクコンポーネント搬送波と同じであることがあり、異なることもある。従って、端末＃１のためのＰＤＣＣＨは、モニタリング集合フィールドが指示するＣＣ＃１及びＣＣ＃３を介してのみ送信されるが、ＰＤＳＣＨは、ＣＣ＃１〜ＣＣ＃３の全てのダウンリンクコンポーネント搬送波を介して送信されることができる。サブフレームｎ＋１で、ＣＣ＃２のためのＰＤＣＣＨは、ＣＣ＃１を介して送信される。この時、コンポーネント搬送波インジケイタまたは予め決定された規則によって、端末＃１は、ＰＤＣＣＨがどのダウンリンクコンポーネント搬送波のためのものであるかが分かる。
【０１２８】
Ｌ個のコンポーネント搬送波が一つのＬＴＥ-Ａ端末のために構成されることができる場合、Ｌ個のコンポーネント搬送波の中からＡ個のコンポーネント搬送波のみを使用するように構成できる(Ｌ≧Ａ、Ｌ及びＡは、各々、自然数)。Ｌ個のコンポーネント搬送波の中からＡ個のコンポーネント搬送波を元素とする集合を活性(ａｃｔｉｖｅ)コンポーネント搬送波集合という。以上で説明したモニタリング集合フィールドは、Ａ個で定義された活性コンポーネント搬送波集合内で使われることができる。
【０１２９】
次に、ＣＣＥフィールドに対して説明する。
【０１３０】
端末は、ＣＣＥ集団レベル別にブラインドデコーディングを試さなければならない。従って、端末がモニタリングすべきＣＣＥ集団レベルが限定される場合、ブラインドデコーディングの複雑度を著しく減らすことができる。無線通信システムがＸ個のＣＣＥ集団レベルを使用する場合、基地局は、端末にＹ個のＣＣＥ集団レベルを使用してＰＤＣＣＨを送信することができる(Ｘ≧Ｙ、Ｘ及びＹは、各々、自然数)。この時、基地局が端末にＹ個のＣＣＥ集団レベルに対する情報を知らせると、端末は、Ｙ個のＣＣＥ集団レベルに対してのみブラインドデコーディングを実行する。これによって、端末のブラインドデコーディング複雑度が低くなることができる。即ち、ＣＣＥフィールドは、Ｘ個のＣＣＥ集団レベルの中からＹ個のＣＣＥ集団レベルを指示する。端末は、ＣＣＥフィールドが指示するＹ個のＣＣＥ集団レベルの各々に対してのみＰＤＣＣＨをモニタリングすることができる。以下、ＣＣＥフィールドが指示するＹ個のＣＣＥ集団レベルを部分集合レベル(ｓｕｂｓｅｔ  ｌｅｖｅｌ)という。
【０１３１】
例えば、無線通信システムが使用するＣＣＥ集団レベルが{１,２,４,８}のように４個である場合、ＣＣＥフィールド値によって次の表のように部分集合レベルを指示することができる。
【０１３２】
【表４】
2011529662.tif 000006
【０１３３】
表は例示に過ぎず、ＣＣＥフィールド値によって部分集合レベルは多様に構成されることができる。ＣＣＥフィールドは、ＤＣＩフォーマットまたはＤＣＩフォーマットグループ毎に異なる部分集合レベルを指示することができる。また、特定ＤＣＩフォーマットにのみＣＣＥフィールドを介して部分集合レベルを指示することもできる。また、ＣＣＥフィールドは、ダウンリンクコンポーネント搬送波またはダウンリンクコンポーネント搬送波グループ毎に異なる部分集合レベルを指示することができる。
【０１３４】
ＣＣＥフィールドは、ＰＤＣＣＨマップに含まれることができる。従って、以上で説明したＰＤＣＣＨマップに対する説明は、ＣＣＥフィールドにもそのまま適用されることができる。ＣＣＥフィールドは、動的にまたは半静的に設定されることができる。
【０１３５】
このように、ＣＣＥ集団レベルは、ＣＣＥフィールドを介して明白に(ｅｘｐｌｉｃｉｔｌｙ)部分集合レベルに限定されることができる。また、ＣＣＥ集団レベルは、内在的に(ｉｍｐｌｉｃｉｔｌｙ)部分集合レベルに限定されることができる。例えば、サブフレーム内の全てのＰＤＣＣＨは、同一ＣＣＥ集団レベルを使用するように規定することができる。もし、端末が前記端末の複数のＰＤＣＣＨの中から一ＣＣＥ集団レベルで一つのＰＤＣＣＨを探す場合、端末は、残りのＰＤＣＣＨも前記ＣＣＥ集団レベルでモニタリングする。
【０１３６】
図２３は、多重搬送波システムにおける端末で実行される制御チャネルモニタリング方法の例を示す。
【０１３７】
図２３を参照すると、端末＃１のための３個のＰＤＣＣＨ(ＰＤＣＣＨ＃１、ＰＤＣＣＨ＃２、及びＰＤＣＣＨ＃３)は、ＣＣＥ集合上で論理的に連続されたＣＣＥに割り当てられる。
【０１３８】
このように、基地局は、一つの端末のための複数のＰＤＣＣＨを一つのダウンリンクコンポーネント搬送波を介して送信することができる。前記複数のＰＤＣＣＨは、各々、独立的なＣＣＥ集団レベルを有することができる。複数のＰＤＣＣＨは、論理的に連続されたＣＣＥに割り当てられることができる。もし、端末がＰＤＣＣＨ＃２を検出した場合、ＰＤＣＣＨ＃２が送信されたＣＣＥ集団のＣＣＥインデックス(４〜７)を用いて、前記ＣＣＥ集団の前または後のＣＣＥで他のＰＤＣＣＨの存在有無を容易に把握することができる。
【０１３９】
図２４は、本発明の実施例が具現される無線通信システムを示すブロック図である。基地局５０は、プロセッサ(ｐｒｏｃｅｓｓｏｒ)５１、メモリ(ｍｅｍｏｒｙ)５２、及びＲＦ部(ＲＦ(ｒａｄｉｏ  ｆｒｅｑｕｅｎｃｙ)ｕｎｉｔ)５３を含む。プロセッサ５１は、提案された機能、過程及び/または方法を具現する。無線インターフェースプロトコルの階層は、プロセッサ５１により具現されることができる。メモリ５２は、プロセッサ５１と連結され、プロセッサ５１を駆動するための多様な情報を格納する。ＲＦ部５３は、プロセッサ５１と連結され、無線信号を送信及び/または受信する。端末６０は、プロセッサ６１、メモリ６２、及びＲＦ部６３を含む。プロセッサ６１は、提案された機能、過程及び/または方法を具現する。無線インターフェースプロトコルの階層は、プロセッサ６１により具現されることができる。メモリ６２は、プロセッサ６１と連結され、プロセッサ６１を駆動するための多様な情報を格納する。ＲＦ部６３は、プロセッサ６１と連結され、無線信号を送信及び/または受信する。
【０１４０】
プロセッサ５１、６１は、ＡＳＩＣ(ａｐｐｌｉｃａｔｉｏｎ-ｓｐｅｃｉｆｉｃ  ｉｎｔｅｇｒａｔｅｄ  ｃｉｒｃｕｉｔ)、他のチップセット、論理回路、データ処理装置及び/またはベースバンド信号、及び無線信号を相互変換する変換器を含むことができる。メモリ５２、６２は、ＲＯＭ(ｒｅａｄ-ｏｎｌｙ  ｍｅｍｏｒｙ)、ＲＡＭ(ｒａｎｄｏｍ  ａｃｃｅｓｓ  ｍｅｍｏｒｙ)、フラッシュメモリ、メモリカード、格納媒体及び/または他の格納装置を含むことができる。ＲＦ部５３、６３は、無線信号を送信及び/または受信する一つ以上のアンテナを含む。実施例がソフトウェアで具現される時、前述した技法は前述した機能を実行するモジュール(過程、機能など)で具現されることができる。モジュールは、メモリ５２、６２に格納され、プロセッサ５１、６１により実行されることができる。メモリ５２、６２は、プロセッサ５１、６１内部または外部にあり、よく知られた多様な手段によりプロセッサ５１、６１と連結されることができる。
【０１４１】
このように、多重搬送波システムで、端末におけるＰＤＣＣＨ受信の複雑度を減らすことができる。ＰＤＣＣＨを効率的にモニタリングする方法及び装置が提供される。これによって、端末の電力消耗を減らすことができる。従って、全体システム性能が向上することができる。
【０１４２】
前述した例示的なシステムで、方法は、一連の段階またはブロックで流れ図に基づいて説明されているが、本発明は、段階の順序に限定されるものではなく、ある段階は、前述と異なる段階及び異なる順序で、または同時に発生することができる。また、当業者であれば、流れ図に示した段階が排他的でなく、他の段階が含まれたり、または流れ図の一つまたはその以上の段階が本発明の範囲に影響を及ぼさずに削除可能であることを理解することができる。
【０１４３】
前述した実施例は、多様な様態の例示を含む。多様な様態を示すための全ての可能な組合せを記述することはできないが、該当技術分野の通常の知識を有する者は、他の組合せが可能であることを認識することができる。従って、本発明は、特許請求の範囲内に属する全ての交替、修正、及び変更を含む。
【図１】
2011529662.tif 000007
【図２】
2011529662.tif 000008
【図３】
2011529662.tif 000009
【図４】
2011529662.tif 000010
【図５】
2011529662.tif 000011
【図６】
2011529662.tif 000012
【図７】
2011529662.tif 000013
【図８】
2011529662.tif 000014
【図９】
2011529662.tif 000015
【図１０】
2011529662.tif 000016
【図１１】
2011529662.tif 000017
【図１２】
2011529662.tif 000018
【図１３】
2011529662.tif 000019
【図１４】
2011529662.tif 000020
【図１５】
2011529662.tif 000021
【図１６】
2011529662.tif 000022
【図１７】
2011529662.tif 000023
【図１８】
2011529662.tif 000024
【図１９】
2011529662.tif 000025
【図２０】
2011529662.tif 000026
【図２１】
2011529662.tif 000027
【図２２】
2011529662.tif 000028
【図２３】
2011529662.tif 000029
【図２４】
2011529662.tif 000030
【手続補正書】
【提出日】平成23年3月9日(2011.3.9)
【手続補正１】
【補正対象書類名】特許請求の範囲
【補正対象項目名】全文
【補正方法】変更
【補正の内容】
【特許請求の範囲】
【請求項１】
無線通信システムにおける端末により実行される物理ダウンリンク制御チャネル(ｐｈｙｓｉｃａｌ  ｄｏｗｎｌｉｎｋ  ｃｏｎｔｒｏｌ  ｃｈａｎｎｅｌ；ＰＤＣＣＨ)モニタリング方法において、
基地局から、Ｌ個のダウンリンクコンポーネント搬送波の中からＮ個のダウンリンクコンポーネント搬送波(ここで、Ｌ≧Ｎであり、Ｌ及びＮは、各々、自然数)を含むモニタリング集合を指示するモニタリング集合フィールドを含むＰＤＣＣＨマップを受信する段階；及び、
前記Ｎ個のダウンリンクコンポーネント搬送波の各々でＰＤＣＣＨ候補の集合をモニタリングする段階；を含むことを特徴とする方法。
【請求項２】
前記ＰＤＣＣＨ候補の集合をモニタリングする段階は、
ＰＤＣＣＨ候補の各々をデコーディングする段階；及び、
ＰＤＣＣＨ候補が成功的にデコーディングされる場合、前記成功的にデコーディングされたＰＤＣＣＨ候補で制御情報を獲得する段階；を含むことを特徴とする請求項１に記載の方法。
【請求項３】
前記ＰＤＣＣＨ候補は、端末の識別子で前記ＰＤＣＣＨ候補のＣＲＣをデマスキングした後、ＣＲＣエラーが検出されない場合、成功的にデコーディングされることを特徴とする請求項２に記載の方法。
【請求項４】
前記ＰＤＣＣＨマップは、ＣＣＥフィールドをさらに含み、前記ＣＣＥフィールドは、Ｘ個のＣＣＥ集団レベルの中でＹ個のＣＣＥ集団レベルを指示することを特徴とする請求項３に記載の方法。(ここで、Ｘ≧Ｙであり、Ｘ及びＹは、各々、自然数)
【請求項５】
前記端末は、前記Ｙ個のＣＣＥ集団レベルの各々で前記ＰＤＣＣＨ候補の集合をモニタリングすることを特徴とする請求項４に記載の方法。
【請求項６】
前記ＰＤＣＣＨマップは、ＰＤＣＣＨを介して受信されることを特徴とする請求項１に記載の方法。
【請求項７】
前記ＰＤＣＣＨマップは、前記Ｌ個のダウンリンクコンポーネント搬送波の中で一つの特定のダウンリンクコンポーネント搬送波を介して受信されることを特徴とする請求項１に記載の方法。
【請求項８】
前記ＰＤＣＣＨマップは、ダウンリンクコンポーネント搬送波を介して受信され、前記ダウンリンクコンポーネント搬送波は、予め決定された規則によって前記Ｌ個のダウンリンクコンポーネント搬送波の中で変更されることを特徴とする請求項１に記載の方法。
【請求項９】
前記ＰＤＣＣＨマップは、ＲＲＣ(ｒａｄｉｏ  ｒｅｓｏｕｒｃｅ  ｃｏｎｔｒｏｌ)メッセージを介して受信されることを特徴とする請求項１に記載の方法。
【請求項１０】
無線信号を送信及び受信するＲＦ(ｒａｄｉｏ  ｆｒｅｑｕｅｎｃｙ)部；及び、
前記ＲＦ部と連結されたプロセッサ；を含み、
前記プロセッサは、基地局からＬ個のダウンリンクコンポーネント搬送波の中からＮ個のダウンリンクコンポーネント搬送波(ここで、Ｌ≧Ｎであり、Ｌ及びＮは、各々、自然数)を含むモニタリング集合を指示するモニタリング集合フィールドを含むＰＤＣＣＨマップを受信し、前記Ｎ個のダウンリンクコンポーネント搬送波の各々でＰＤＣＣＨ候補の集合をモニタリングすることを特徴とする端末。
【請求項１１】
前記プロセッサは、ＰＤＣＣＨ候補の各々をデコーディングし、ＰＤＣＣＨ候補が成功的にデコーディングされる場合、前記成功的にデコーディングされたＰＤＣＣＨ候補で制御情報を獲得することを特徴とする請求項１０に記載の端末。
【請求項１２】
前記ＰＤＣＣＨ候補は、端末の識別子で前記ＰＤＣＣＨ候補のＣＲＣをデマスキングした後、ＣＲＣエラーが検出されない場合、成功的にデコーディングされることを特徴とする請求項１１に記載の端末。
【請求項１３】
前記ＰＤＣＣＨマップは、ＣＣＥフィールドをさらに含み、前記ＣＣＥフィールドは、Ｘ個のＣＣＥ集団レベルの中でＹ個のＣＣＥ集団レベルを指示することを特徴とする請求項１２に記載の端末。(ここで、Ｘ≧Ｙであり、Ｘ及びＹは、各々、自然数)
【請求項１４】
前記プロセッサは、前記Ｙ個のＣＣＥ集団レベルの各々で前記ＰＤＣＣＨ候補の集合をモニタリングすることを特徴とする請求項１３に記載の端末。
【請求項１５】
前記ＰＤＣＣＨマップは、ＰＤＣＣＨを介して受信されることを特徴とする請求項１０に記載の端末。
【請求項１６】
前記ＰＤＣＣＨマップは、前記Ｌ個のダウンリンクコンポーネント搬送波の中で一つの特定のダウンリンクコンポーネント搬送波を介して受信されることを特徴とする請求項１０に記載の端末。
【請求項１７】
前記ＰＤＣＣＨマップは、ダウンリンクコンポーネント搬送波を介して受信され、前記ダウンリンクコンポーネント搬送波は、予め決定された規則によって前記Ｌ個のダウンリンクコンポーネント搬送波の中で変更されることを特徴とする請求項１０に記載の端末。
【請求項１８】
前記ＰＤＣＣＨマップは、ＲＲＣ(ｒａｄｉｏ  ｒｅｓｏｕｒｃｅ  ｃｏｎｔｒｏｌ)メッセージを介して受信されることを特徴とする請求項１０に記載の端末。
【手続補正２】
【補正対象書類名】明細書
【補正対象項目名】００２０
【補正方法】変更
【補正の内容】
【００２０】
なお、他の側面で、無線通信システムにおける基地局により実行されるＰＤＣＣＨ送信方法が提供される。前記方法は、端末にＰＤＣＣＨマップを送信する段階；及び、前記ＰＤＣＣＨマップによって前記端末にＰＤＣＣＨを送信する段階；を含むことを特徴とする。また、本発明は以下を提供する：
（項目１）
無線通信システムにおける端末により実行される物理ダウンリンク制御チャネル(ｐｈｙｓｉｃａｌ  ｄｏｗｎｌｉｎｋ  ｃｏｎｔｒｏｌ  ｃｈａｎｎｅｌ；ＰＤＣＣＨ)モニタリング方法において、
基地局からＰＤＣＣＨマップ(ｍａｐ)を受信する段階；及び、
前記ＰＤＣＣＨマップに基づいてＰＤＣＣＨ候補の集合をモニタリングする段階；を含むことを特徴とする方法。
（項目２）
前記ＰＤＣＣＨマップは、モニタリング集合フィールドを含み、前記モニタリング集合フィールドは、Ｌ個のダウンリンクコンポーネント搬送波の中からＮ個のダウンリンクコンポーネント搬送波を指示し(ここで、Ｌ≧Ｎであり、Ｌ及びＮは、各々、自然数)、端末は、前記Ｎ個のダウンリンクコンポーネント搬送波の各々で前記ＰＤＣＣＨ候補の集合をモニタリングすることを特徴とする項目１に記載の方法。
（項目３）
前記ＰＤＣＣＨマップは、ＰＤＣＣＨ上に受信されることを特徴とする項目１に記載の方法。
（項目４）
前記ＰＤＣＣＨマップは、複数のダウンリンクコンポーネント搬送波の中から一定のダウンリンクコンポーネント搬送波を介して受信されることを特徴とする項目１に記載の方法。
（項目５）
前記ＰＤＣＣＨマップは、ダウンリンクコンポーネント搬送波を介して受信され、前記ダウンリンクコンポーネント搬送波は、複数のダウンリンクコンポーネント搬送波の中からホッピング(ｈｏｐｐｉｎｇ)規則によってホッピングされることを特徴とする項目１に記載の方法。
（項目６）
前記ＰＤＣＣＨマップは、ＲＲＣ(ｒａｄｉｏ  ｒｅｓｏｕｒｃｅ  ｃｏｎｔｒｏｌ)信号を介して受信されることを特徴とする項目１に記載の方法。
（項目７）
前記ＰＤＣＣＨマップは、制御チャネル要素(ｃｏｎｔｒｏｌ  ｃｈａｎｎｅｌ  ｅｌｅｍｅｎｔ；ＣＣＥ)フィールドを含み、前記制御チャネル要素は、Ｘ個のＣＣＥ集団レベルの中でＹ個のＣＣＥ集団レベルを指示し(ここで、Ｘ≧Ｙであり、Ｘ及びＹは、各々、自然数)、端末は、前記Ｙ個のＣＣＥ集団レベルの各々で前記ＰＤＣＣＨ候補の集合をモニタリングすることを特徴とする項目１に記載の方法。
（項目８）
前記ＰＤＣＣＨマップは、モニタリング集合フィールド及び制御チャネル要素(ＣＣＥ)フィールドを含むことを特徴とする項目１に記載の方法。
（項目９）
無線信号を送信及び/または受信するＲＦ(ｒａｄｉｏ  ｆｒｅｑｕｅｎｃｙ)部；及び、
前記ＲＦ部と結合するプロセッサ；を含み、
前記プロセッサは、ＰＤＣＣＨマップを受信し、前記ＰＤＣＣＨマップに基づいてＰＤＣＣＨ候補の集合をモニタリングすることを特徴とする端末。
（項目１０）
無線通信システムにおける基地局により実行されるＰＤＣＣＨ送信方法において、
端末にＰＤＣＣＨマップを送信する段階；及び、
前記ＰＤＣＣＨマップによって前記端末にＰＤＣＣＨを送信する段階；を含むことを特徴とする方法。
【国際調査報告】
2011529662.tif 000031
2011529662.tif 000032